(57)【特許請求の範囲】
【請求項１】
壁面を通じて屋内外に連通する換気ダクトの先端開口に接続される嵌装筒と、当該嵌装筒を覆うように設けられるフード体とを備え、前記壁面に設置された状態で前記フード体の上部が雨水カバーとなる、給気用のベントキャップと排気用のベントキャップとを、前記壁面に設置するベントキャップの設置方法であって、前記給気用のベントキャップと、前記排気用のベントキャップとが、前記ベントキャップ各々の中心を通るそれぞれの鉛直線を基準として互いに遠い方の側かつ前記ベントキャップ各々の中心を通る水平線より下側から給気または排気を行う向きで、同一壁面に設置されるベントキャップの設置方法において使用されるベントキャップであって、
給気用のベントキャップは、四角柱形状のフード体を有し、前記給気用のベントキャップが前記壁面に設置された状態で、前記壁面および地面に対し垂直となる前記フード体の面のうち一方の面における下部、および、前記フード体の地面と対向する面における前記一方の面に近い側に、それぞれ給気口が設けられ、
排気用のベントキャップは、四角柱形状のフード体を有し、前記給気用のベントキャップの前記給気口と左右対称となる位置に排気口が設けられる
ことを特徴とするベントキャップ。
【請求項２】
前記給気用のベントキャップのフード体、または、前記排気用のベントキャップのフード体の内部空間に止水板が設けられた
ことを特徴とする請求項１記載のベントキャップ。
【発明の詳細な説明】
【技術分野】
【０００１】
この発明は、換気系の給排気開口に取り付けられる給気用のベントキャップと排気用のベントキャップの設置方法、および、当該設置方法によって設置されるベントキャップに関するものである。
【背景技術】
【０００２】
従来、例えば、全館空調システムにおいて、換気系の給気開口および排気開口にそれぞれ取り付けられる外部フード（ベントキャップ）については、設置スペース等の種々の制約から、給気開口と排気開口との設置距離を近くしなければならない場合、一方の外部フードの排気開口から排気した空気を、他方の外部フードの給気開口から吸い込んでしまう、いわゆるショートサーキット（給排気短絡）の問題が発生し、換気効率が低下することが懸念されていた。
そこで、例えば、特許文献１には、屋内外に連通する給排気路の屋外開口端において、丸型フードに、閉塞部が設けられたウェザーカバを取り付けることで、ショートサーキットを防止する技術が開示されている。
【先行技術文献】
【特許文献】
【０００３】
【特許文献１】実開昭６０−２８３３０号公報
【発明の概要】
【発明が解決しようとする課題】
【０００４】
しかしながら、特許文献１に開示されているようなベントキャップ（ウェザーカバ）では、雨水への対策などを考慮して、軒下に設定される必要があるなど、設置に際して依然として制約があるという課題があった。また、給気用ベントキャップと排気用ベントキャップとの距離や、例えば、地面に対して鉛直方向に２つ並べた場合等の配置関係や、閉塞部の向きによっては、充分にショートサーキットを防止することができるとは限らないという課題があった。
【０００５】
この発明は、上記のような課題を解決するためになされたもので、雨水の浸入を防ぐことができ、かつ、ショートサーキットをより抑制することができるベントキャップの設置方法、および、当該設置方法において使用されるベントキャップを提供することを目的とする。
【課題を解決するための手段】
【０００６】
この発明に係るベントキャップは、壁面を通じて屋内外に連通する換気ダクトの先端開口に接続される嵌装筒と、当該嵌装筒を覆うように設けられるフード体とを備え、壁面に設置された状態でフード体の上部が雨水カバーとなる、給気用のベントキャップと排気用のベントキャップとを、壁面に設置するベントキャップの設置方法であって、給気用のベントキャップと、排気用のベントキャップとが、ベントキャップ各々の中心を通るそれぞれの鉛直線を基準として互いに遠い方の側かつベントキャップ各々の中心を通る水平線より下側から給気または排気を行う向きで、同一壁面に設置されるベントキャップの設置方法において使用されるベントキャップであって、給気用のベントキャップは、四角柱形状のフード体を有し、給気用のベントキャップが壁面に設置された状態で、壁面および地面に対し垂直となるフード体の面のうち一方の面における下部、および、フード体の地面と対向する面における一方の面に近い側に、それぞれ給気口が設けられ、排気用のベントキャップは、四角柱形状のフード体を有し、給気用のベントキャップの給気口と左右対称となる位置に排気口が設けられることを特徴とするものである。
【発明の効果】
【０００７】
この発明に係るベントキャップによれば、雨水の浸入を防ぐことができ、かつ、ショートサーキットをより抑制することができる。
【図面の簡単な説明】
【０００８】
【図１】本発明が適用される一例として、一般的な住宅用全館空調システムを説明する図である。
【図２】本願において、給気用のベントキャップ６と排気用のベントキャップ６とを、ベントキャップ６各々の中心を通る水平線Ｙが重なるように、壁面に対して横に並べて設置した場合の、排気および給気された空気の流れを説明する図である。
【図３】本願において、壁面に対して、給気用のベントキャップと排気用のベントキャップを設置する高さを変えるように設置した場合の、排気および給気された空気の流れを説明する図である。
【図４】本願において、給気用のベントキャップの鉛直線Ｘと、排気用のベントキャップの鉛直線Ｘとが重なる位置で、給気用のベントキャップと排気用のベントキャップとを、壁面に対して上下に設置した場合の、排気および給気された空気の流れを説明する図である。
【図５】この発明の実施の形態４に係るベントキャップの構成を説明する図である。
【図６】図５で示すこの発明の実施の形態４に係るベントキャップを、それぞれ、正面から見た図（図６（ａ））、左側面から見た図（図６（ｂ））、右側面から見た図（図６（ｃ））、下面（図６（ｄ））から見た図である。
【図７】実施の形態４に係る給気用のベントキャップと排気用のベントキャップを壁面に設置した一例を示す図である。
【図８】一般的な深型フードのベントキャップの一例を示す図である。
【図９】本願の実施の形態４に係るベントキャップを図７のように設置した場合と、図２で説明した従来の深型フードのベントキャップを図７のように設置した場合とで、給排気口まわりの排気空気濃度を比較した結果を示す図である。
【図１０】従来の深型フードのベントキャップの一例を示す図である。
【図１１】この発明の実施の形態５における、ベントキャップの設置方法を説明する図である。
【発明を実施するための形態】
【０００９】
実施の形態１．
まず、図１を用いて、本発明が適用される一例として、一般的な住宅用全館空調システムを説明する。
室内ユニット１は、住宅内に設けられた専用の機械室などに設置されており、この室内ユニット１で調和された空気が、サプライチャンバ３へと供給される。
サプライチャンバ３から、モータダンパ４を介して、各ゾーンに空気が分配されるように、サプライチャンバ３に接続される２本の主ダクト７へと調和空気が送られる。なお、ここでいうゾーンとは、例えば、２階建ての住宅である場合、１階が第１のゾーン、２階が第２のゾーンというように分類されたものである。
主ダクト７へ送られた調和空気は、分岐チャンバ８、分岐ダクト９を介して、吹出し口１０から各ゾーンへ分配される。
屋内には、リモートコントローラ１１およびゾーンコントローラ１２が設置されており、ユーザは、当該リモートコントローラ１１およびゾーンコントローラ１２により、空調の設定温度等の変更を行うことが可能である。
【００１０】
また、機械室には、換気ユニット２が設置されている。この換気ユニット２には、２本の換気ダクトが接続されている。そして、各換気ダクトにおける換気ユニット２との接続端部と反対側の端部は、それぞれ屋外に面する壁にまで延びて開口を形成している。これらの開口の１つが給気開口となり、他方が排気開口となる。この給気開口および排気開口のそれぞれに対して、ベントキャップ６，６が壁面を貫くように屋外に設置される（図１のＡ参照）。
換気ユニット２は、屋外の空気を、給気用のベントキャップ６および一方の換気ダクトを介して給気する。また、換気ユニット２から排気される空気は、他方の換気ダクトを介して、その端部の排気用のベントキャップ６を通して屋外に排出される。
【００１１】
ここで、図１で説明したような給気用のベントキャップ６および排気用のベントキャップ６において、風雨にさらされる壁面への設置も可能として、設置上の制約を少なくするためには、適切な防雨機能を備える必要がある。
また、設置上の制約を少なくするためには、給気開口及び排気開口を相互に近い位置に設置しなければならない場合にも、排気開口から排気した空気を給気開口から吸い込んでしまうショートサーキットを抑制することができる必要がある。
【００１２】
そこで、防雨機能を有しつつ、ショートサーキットを抑制する、本願の給気用のベントキャップ６および排気用のベントキャップ６の設置方法について、図２〜図４を用いて具体的に説明する。
図２は、本願において、給気用のベントキャップ６と排気用のベントキャップ６とを、ベントキャップ６各々の中心を通る水平線Ｙが重なるように、壁面に対して横に並べて設置した場合の、排気および給気された空気の流れを説明する図である。
なお、図２は、給気用のベントキャップ６への給気、または、排気用のベントキャップ６からの排気の流れを説明するための図であり、ベントキャップ６の構成については、フード体を備え、壁面に設置された状態で、フード体の上部が雨水カバーとなるものであればよい。すなわち、防雨等のためのフード体の形状等については、図２に示すものに限らない。
【００１３】
図２に示すように、本願の給気用のベントキャップ６および排気用のベントキャップ６は、給気用のベントキャップ６と、前記排気用のベントキャップ６とが、ベントキャップ６各々の中心を通るそれぞれの鉛直線Ｘを基準として、互いに遠い方の側、かつ、ベントキャップ６各々の中心を通る水平線Ｙより下側から給気、または、排気を行う向きで、同一壁面に設置される。なお、図２において、Ｂで示す矢印は、地面に向かう方向を示しているものとする。
また、本願において、ベントキャップ６各々の中心を通るそれぞれの「鉛直線Ｘを基準として、互いに遠い方の側から給気または排気を行う」との規定は、ショートサーキットを回避できるようにベントキャップ６各々が鉛直線Ｘを基準として互いに遠い方の側から給気または排気されていればよく、厳密に当該鉛直線Ｘを基準として互いに遠い方の側のみから給気または排気されることを意味するものではない。
また、本願において、ベントキャップ６各々の中心を通る水平線Ｙより下側とは、略下側のことを意味するものとする。したがって、「水平線Ｙより下側から給気または排気を行う」との規定は、側面から雨が侵入しない程度に給気または排気が行えるものであればよく、厳密に当該水平線Ｙよりも下側のみから給気または排気される必要はない。
【００１４】
図２では、給気用のベントキャップ６と排気用のベントキャップ６とは、ベントキャップ６各々の中心を通る水平線Ｙが重なるように、壁面に対して横に並べた状態で設置されているようにしているが、図２（ａ）に示すように、排気用のベントキャップ６が、壁面に対して、給気用のベントキャップ６の左側に設置されるようにしてもよいし、図２（ｂ）に示すように、排気用のベントキャップ６が、壁面に対して、給気用のベントキャップ６の右側に設置されるようにしてもよく、それぞれの鉛直線Ｘを基準として、互いに遠い方の側、かつ、ベントキャップ６各々の中心を通る水平線Ｙより下側に排気口と給気口とが設けられるものであればよい。
【００１５】
以上のように、実施の形態１によると、雨水の浸入を防ぐことができ、かつ、ショートサーキットをより抑制することができる。また、設置スペース等の種々の制約から、給気開口と排気開口との設置距離を近くしなければならない場合であっても、対応しやすい。
【００１６】
実施の形態２．
また、排気用のベントキャップ６から排出された空気が、給気用のベントキャップ６より吸い込まれるショートサーキットをさらに抑制するため、図３に示すように、壁面に対して、給気用のベントキャップ６と排気用のベントキャップ６を設置する高さを変えるようにしてもよい。
【００１７】
この時、いずれのベントキャップ６を他方のベントキャップに対してより高い位置にするかは任意であるが、排気用のベントキャップ６から排出された空気が給気用のベントキャップ６からより吸い込まれないようにするため、給気用のベントキャップ６は、排気用のベントキャップ６よりも高い位置に設置するようにすることが好ましい。
なお、この場合も、図３（ａ），（ｂ）に示すように、図２（ａ），（ｂ）同様、壁面に設置される排気用のベントキャップ６の排気口と給気用のベントキャップ６の給気口とが、それぞれの鉛直線Ｘを基準として、互いに遠い方の側、かつ、ベントキャップ６各々の中心を通る水平線Ｙより下側に設けられるようになっていればよく、鉛直線Ｘに対して、給気口または排気口が、左右のどちら側に設けられるものであってもよい。
【００１８】
以上のように、実施の形態２によると、雨水の浸入を防ぐことができ、かつ、ショートサーキットをより抑制することができる。また、設置スペース等の種々の制約から、給気開口と排気開口との設置距離を近くしなければならない場合であっても、対応しやすい。
【００１９】
実施の形態３．
また、図４に示すように、給気用のベントキャップ６の鉛直線Ｘと、排気用のベントキャップ６の鉛直線Ｘとが重なる位置で、給気用のベントキャップ６と排気用のベントキャップ６とを、壁面に対して上下に設置するようにしてもよい。
この時も、排気用のベントキャップ６から排出された空気が給気用のベントキャップ６から吸い込まれないようにするため、排気用のベントキャップ６は、給気用のベントキャップ６の下側に設置することが好ましい。特に、上下の間隔を充分に確保できない場合には、排気用のベントキャップを下側に配置することは有効である。
【００２０】
また、この場合も、図４（ａ），（ｂ）に示すように、図２（ａ），（ｂ）、図３（ａ），（ｂ）同様、壁面に設置される排気用のベントキャップ６の排気口と給気用のベントキャップ６の給気口とが、それぞれの鉛直線Ｘを基準として、互いに遠い方の側、かつ、ベントキャップ６各々の中心を通る水平線Ｙより下側に設けられるようになっていればよく、鉛直線Ｘに対して、給気口または排気口が、左右のどちら側に設けられるようにしてもよい。
【００２１】
以上のように、実施の形態３によると、雨水の浸入を防ぐことができ、かつ、ショートサーキットをより抑制することができる。また、設置スペース等の種々の制約から、給気開口と排気開口との設置距離を近くしなければならない場合であっても、より対応しやすい。
【００２２】
本願における給気用のベントキャップ６と排気用のベントキャップ６の設置方法については、上述したとおりであるが、次に、上述したような設置方法で設置される、本願の給気用のベントキャップ６、または、排気用のベントキャップ６の実施の形態、および、給気用のベントキャップ６と排気用のベントキャップ６の設置方法の他の実施の形態について図面を参照しながら詳細に説明する。
実施の形態４．
この実施の形態４では、図２〜図４で説明したベントキャップ６の設置方法において使用することが好適なベントキャップ６の実施の形態について説明する。
図５は、この発明の実施の形態４に係るベントキャップ６の構成を説明する図である。
なお、図５においても、Ｂで示す矢印は、地面に向かう方向を示しているものとする。
図６は、図５で示すこの発明の実施の形態４に係るベントキャップ６を、それぞれ、正面から見た図（図６（ａ））、左側面から見た図（図６（ｂ））、右側面から見た図（図６（ｃ））、下面（図６（ｄ））から見た図である。
【００２３】
図５，図６に示すように、この発明の実施の形態４に係るベントキャップ６は、フード体１０１と、嵌装筒１０２とを備える。
なお、この実施の形態４に係る給気用のベントキャップ６と排気用のベントキャップ６とは、左右対称に構成される点を除き、同一の形状をしているものとする。
嵌装筒１０２は、フード体１０１を換気ダクト（図５，図６では不図示）の開口に装着するためのものである。
【００２４】
フード体１０１は、四角柱形状をしており、フード体１０１の側面（図５，図６においては右側面）、すなわち、壁面および地面と垂直な面のうちの一方の面における下部には、横側換気口１０３と、当該横側換気口１０３の一部を塞ぐ横側閉塞部１０５とが設けられ、横側換気口１０３から排気（排気用のベントキャップ６の場合）、または、給気（給気用のベントキャップ６の場合）を行うようにしている。なお、フード体１０１の上部は雨水カバーとなる。
【００２５】
また、フード体１０１の下面、すなわち、地面と対向する面にも、下側換気口１０４と、当該下側換気口１０４の一部を塞ぐ下側閉塞部１０６とが設けられ、下側換気口１０４から排気（排気用のベントキャップ６の場合）、または、給気（給気用のベントキャップ６の場合）を行うようにしている。なお、下側換気口１０４は、フード体１０１の地面と対向する面における、横側換気口１０３が設けられる面に近い側に設けられる。
下側閉塞部１０６と下側換気口１０４の幅の比、および、横側閉塞部１０５と横側換気口１０３の幅の比は、設置状態において、雨水の浸入やショートサーキットを抑制できる範囲であればよく、系（空調システム）の許容圧損、または、ベントキャップ６の本体の厚さ（図６（ｂ）におけるフード体１０１の横方向の厚さ）に応じて、例えば、３：１〜１：３程度とする。
図６（ａ）に示す止水板１０９については後述する。
【００２６】
なお、図５，図６では、フード体１０１の地面に対向する面における右側に下側換気口１０４を設け、フード体１０１の壁面および地面と垂直な面のうち、右側の面に横側換気口１０３を設けるベントキャップ６について説明したが、本願において、給気用のベントキャップ６と排気用のベントキャップ６とは、開口部と閉塞部とが左右対称になる。すなわち、例えば、図５，図６で説明したベントキャップ６を給気用のベントキャップ６とする場合、排気用のベントキャップ６は、図５，図６のベントキャップ６において、フード体１０１の地面に対向する面における左側に下側換気口１０４を設け、フード体１０１の壁面および地面と垂直な面のうち左側の面に横側換気口１０３を設ける構成となる（図７参照）。
なお、図７において、下側に設置されているのが排気用のベントキャップ６であり、上側に設置されているのが給気用のベントキャップ６である。
【００２７】
また、本願において、左右対称とは、略左右対称であり、排気用のベントキャップ６の排気口と、給気用のベントキャップ６の給気口とは、ベントキャップ６各々の中心を通るそれぞれの鉛直線Ｘを基準として遠い方の側となる位置に下側換気口１０４，横側換気口１０３と下側閉塞部１０６，横側閉塞部１０５とが各々設けられるものであればよい。
【００２８】
ここで、実施の形態４のベントキャップ６を図７のように設置した場合と、一般的な深型フードを図７のように設置した場合のショートサーキットの影響について説明する。
図８は、一般的な深型フードのベントキャップ６の一例を示す図である。
図８に示すような一般的な深型フードのベントキャップ６では、風雨を防ぐためのフード体を備え、当該フード体の下側全体に換気口を設けていたため、排気用のベントキャップ６から排気された空気が、給気用のベントキャップ６に吸い込まれる、いわゆるショートサーキットの影響が大きかった。特に、上下に近接配置した場合、ショートサーキットを避けることは困難であった。
【００２９】
これに対して、本願の実施の形態４に係る構成の排気用のベントキャップ６は、四角柱形状のフード体１０１の、側面、すなわち、壁面および地面と垂直な面のうちの一方の面における下部のみが横側換気口１０３として開口している。また、排気用のベントキャップ６は、四角柱形状のフード体１０１の下側の面、すなわち、地面に対向する面の一部のみが下側換気口１０４として開口している。さらに、当該下側換気口１０４は、フード体１０１の地面と対向する面における、横側換気口１０３が設けられる面に近い側に設けられる。
そして、本願の実施の形態４に係る構成の給気用のベントキャップ６の側面に設けられた横側換気口１０３、および、給気用のベントキャップ６の地面との対向面に設けられた下側換気口１０４は、排気用のベントキャップ６の横側換気口１０３、下側換気口１０４とは左右対称な位置に設けられている。
従って、例えば、図７に示すように設置した場合において、排気用のベントキャップ６の下側換気口１０４および横側換気口１０３からの排気が上昇していったとしても、給気用のベントキャップ６の下側換気口１０４または横側換気口１０３から排気を吸い込むことが抑制され、一般的な深型フードのベントキャップ６よりもショートサーキットを抑制することが可能となる。
【００３０】
なお、ここでは、図７に示すように、給気用のベントキャップ６の鉛直線Ｘと、排気用のベントキャップ６の鉛直線Ｘとが重なる位置で、給気用のベントキャップ６と排気用のベントキャップ６とを、壁面に対して上下に設置する例を用いて説明したが、これに限らず、図２で説明したように、給気用のベントキャップ６と排気用のベントキャップ６とを、ベントキャップ６各々の中心を通る水平線Ｙが重なるように、壁面に対して横に並べて設置した場合でも、図３で説明したように、給気用のベントキャップ６と排気用のベントキャップ６とを、壁面に対して、設置する高さを変えるように設置した場合でも、同様に、排気用のベントキャップ６からの排気を、給気用のベントキャップ６が吸い込むことが抑制され、一般的な深型フードのベントキャップ６よりもショートサーキットを抑制することが可能となる。
【００３１】
図９は、本願の実施の形態４に係るベントキャップ６を図７のように設置した場合と、図２で説明した従来の深型フードのベントキャップ６を図７のように設置した場合とで、給排気口まわりの排気空気濃度を比較した結果を示す図である。
図９（ａ）は、本願の実施の形態４に係るベントキャップ６の気流を示す図であり、図９（ｂ）は、一般的な深型フードのベントキャップ６の気流を示す図である。
図９に示すように、給気口内の排気空気濃度は、従来の深型フードのベントキャップ６で約３０％、本願の実施の形態４に係るベントキャップ６で約８％と大きな改善が見られる。
【００３２】
なお、本願の実施の形態４に係るベントキャップ６において、下側換気口１０４および横側換気口１０３の合計の開口面積は、一般的な深型フードのベントキャップ６の下側換気口の開口面積とほぼ同程度になるように設計されればよい。
【００３３】
また、一般的なベントキャップ６の一例としては、図１０に示すように、丸型フードのベントキャップ６もあるが、丸型フードのベントキャップ６では、深型フードのベントキャップ６に比べ、ショートサーキットを防止することができたとしても、上部も含めた広範囲が開口するため、雨水の浸入を防ぐことができず、軒下に設置される必要があるなど、設置面での制約がある。
これに対して、本願の実施の形態４に係るベントキャップ６では、フード体１０１により、雨水も防ぐことができると同時に、図９で説明したように、ショートサーキットの影響も低減することが可能となる。
【００３４】
また、本願の実施の形態４に係るベントキャップ６において、横側換気口１０３または下側換気口１０４からフード体１０１内に浸入した雨水などが換気ダクトに流入してしまうことをより防止するため、フード体１０１の内部において、換気ダクトと横側換気口１０３が設置されるフード体１０１の側面との間、および、換気ダクトと下側換気口１０４が設置されるフード体１０１の下面との間に、横側換気口１０３および下側換気口１０４から浸入した雨水を遮るように、止水板１０９（図６（ａ）参照）を設けるように構成してもよい。
なお、止水板１０９は、給気用のベントキャップ６にのみ設けるようにしても、排気用のベントキャップ６にのみ設けるようにしても、給気用のベントキャップ６と排気用のベントキャップ６の両方に設けるようにしてもよい。
また、止水板１０９は、フード体１０１の内部において、その効果が発揮される範囲内であれば、すなわち、横側換気口１０３または下側換気口１０４から浸入した雨水の少なくとも一部を遮るように設けられるものであればよい。
【００３５】
以上のように、この実施の形態４によると、雨水の浸入を防ぐことができ、かつ、ショートサーキットをより抑制することができる。また、設置スペース等の種々の制約から、給気開口と排気開口との設置距離を近くしなければならない場合であっても、対応しやすい。
【００３６】
実施の形態５．
実施の形態４では、給気用のベントキャップ６と、前記排気用のベントキャップ６とが、ベントキャップ６各々の中心を通るそれぞれの鉛直線Ｘを基準として、互いに遠い方の側、かつ、ベントキャップ６各々の中心を通る水平線Ｙより下側から給気、または、排気を行う向きで、同一壁面に設置されるベントキャップ６の設置方法において、設置されるベントキャップ６は、図５，６で説明したような、四角柱形状のフード体１０１を有するベントキャップ６とするものとした。この実施の形態５では、図８で説明したような一般的な深型フードのベントキャップ６を用いても、その設置方法によって実施の形態４同様の効果を得ることができる設置方法の実施の形態について説明する。
【００３７】
図１１は、この発明の実施の形態５における、ベントキャップ６の設置方法を説明する図である。
ここでは、一般的な深型フードのベントキャップ６を、給気用のベントキャップ６の鉛直線Ｘと、排気用のベントキャップ６の鉛直線Ｘとが重なる位置で、給気用のベントキャップ６と排気用のベントキャップ６とを、壁面に対して上下に設置した状態から、図１１のように、壁面に沿うようにして、鉛直線Ｘを基準に左右反対側に傾くように回転させた位置に設置する。
【００３８】
なお、図１１において、Ｂで示す矢印は、地面に向かう方向を示しているものとし、この実施の形態５においても、給気用のベントキャップ６は、壁面に対して、排気用のベントキャップ６よりも上に設置されるものとする。
【００３９】
図１１に示すように、給気用のベントキャップ６は、壁面に沿うようにして、鉛直線Ｘを基準にθ２だけ右側に傾くように、時計回りに回転させ、排気用のベントキャップ６は、壁面に沿うようにして、鉛直線Ｘを基準にθ１だけ左側に傾くように、反時計回りに回転させる。
θ１とθ２の大きさは、等しくなるようにするのが好ましいが、厳密にθ１＝θ２である必要はなく、θ１＝θ２＝０とならない範囲内で設定する。
【００４０】
なお、図１１では、給気用のベントキャップ６を、壁面に沿うようにして、鉛直線Ｘを基準にθ２だけ時計回りに回転させ、排気用のベントキャップ６を、壁面に沿うようにして、鉛直線Ｘを基準にθ１だけ反時計回りに回転させるようにしたが、これに限らず、給気用のベントキャップ６を、壁面に沿うようにして、鉛直線Ｘを基準にθ２だけ左側に傾くように反時計回りに回転させ、排気用のベントキャップ６を、壁面に沿うようにして、鉛直線Ｘを基準にθ２だけ右側に傾くように時計回りに回転させるようにしてもよい。
【００４１】
また、ここでは、図８に示したような一般的な深型フードのベントキャップ６を、図１１に示すような設置方法で設置する場合を例に説明したが、これに限らず、実施の形態４に係るベントキャップ６を、図１１に示すような設置方法で設置するようにしてもよい。
その場合、下側閉塞部１０６の閉塞部分の長さを、実験結果に基づいて設定することができる。また、同様に、図１１を用いて説明したθ１、θ２の回転角についても、実験結果に基づいて設定することができる。
例えば、実施の形態４に係るベントキャップ６において、下側閉塞部１０６と下側換気口１０４との幅の比に応じて、それと同等の比率になるように、回転角θ１、θ２の角度を設定するようにすればよい。
【００４２】
以上のように、この実施の形態５によると、雨水の浸入をより防ぐことができ、かつ、ショートサーキットをより抑制することができる。また、設置スペース等の種々の制約から、給気開口と排気開口との設置距離を近くしなければならない場合であっても、対応しやすい。
【００４３】
なお、上記実施の形態１〜５の説明では、被換気空間として、一般住宅などの固定構造物への適用を前提に説明したが、これに限定する必要はない。例えば、船舶などの移動体としての乗り物の客室、貨物室等の換気に適用しても構わない。
【００４４】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４５】
１  室内ユニット
２  換気ユニット
３  サプライチャンバ
４  モータダンパ
６  ベントキャップ
７  主ダクト
８  分岐チャンバ
９  分岐ダクト
１０  吹出し口
１１  リモートコントローラ
１２  ゾーンコントローラ
１０１  フード体
１０２  嵌装筒
１０３  横側換気口
１０４  下側換気口
１０５  横側閉塞部
１０６  下側閉塞部
１０９  止水板
【図１】
0006335774.tif 000002
【図２】
0006335774.tif 000003
【図３】
0006335774.tif 000004
【図４】
0006335774.tif 000005
【図５】
0006335774.tif 000006
【図６】
0006335774.tif 000007
【図７】
0006335774.tif 000008
【図８】
0006335774.tif 000009
【図９】
0006335774.tif 000010
【図１０】
0006335774.tif 000011
【図１１】
0006335774.tif 000012